(57)【要約】【課題】    眼内挿入用レンズの挿入器具に使用した場合に、折りたたみ易くした機能を有すると共に、収差の補正を可能にした眼内挿入用レンズに関する。【解決手段】眼内挿入用レンズ１０の形成において、眼内挿入用レンズ１０のレンズ光学部（１１，２１，３１，４１）の前，後面の少なくとも一方が光軸近傍領域面（１３，２３，３３，４３）では一律の曲率半径を有し、かつレンズ光学部の外周部領域面（１４，２４，３４，４４  ）においては前記光軸近傍領域面の曲率半径よりも大きな曲率半径を持つように形成した。【選択図】  図２
2006014818.tif 000002
【特許請求の範囲】
【請求項１】
眼内挿入用レンズのレンズ光学部の前，後面の少なくとも一方が光軸近傍領域面では一律の曲率半径を有し、かつレンズ光学部の外周部領域面においては前記光軸近傍領域面の曲率半径よりも大きな曲率半径を持つように形成したことを特徴とする眼内挿入用レンズ。
【請求項２】
眼内挿入用レンズを眼内へ挿入した時に前面及び／又は後面となるレンズ光学部が、レンズ光学部の光軸近傍領域面では一律の曲率半径を有し、レンズ光学部の外周部領域面においては前記レンズ光軸近傍領域面の曲率半径よりも大きな曲率半径となるように形成したことを特徴とする眼内挿入用レンズ。
【請求項３】
レンズ光学部の度数とレンズ光学部の口径とを互いに一致させた前記光軸近傍領域面と外周部領域面との曲率半径が一律の前記レンズ光学部と、前記光軸近傍領域面及び外周部領域面の曲率半径がそれぞれ異なるレンズ光学部とからなり、前記曲率半径がそれぞれ異なるレンズ光学部の球面高さを前記曲率半径が一律のレンズ光学部よりも低くしたことを特徴とする請求項１又は請求項2に記載の眼内挿入用レンズ。
【発明の詳細な説明】
【技術分野】
【０００１】
本発明は、眼内挿入用レンズの収差を補正することのできる眼内挿入用レンズに関し、更に詳しくは、眼内挿入用レンズの挿入器具に使用した場合に、折りたたみ易くした機能を有すると共に、収差の補正を可能にした眼内挿入用レンズに関する。
【背景技術】
【０００２】
白内障の治療法として、従来より折りたたみ可能な人工の眼内レンズ「（Intraocular Lens）以下ＩＯＬと称す」を、眼内の白く濁った水晶体を取り除き、眼内へ挿入する術式が行われている。この方法は、眼球に３mm程度の切開創を設け、そこから眼内の水晶体を取り除き、前記ＩＯＬを挿入するもので、日帰りで手術が行えるほど技術は進歩している。
【発明の開示】
【発明が解決しようとする課題】
【０００３】
これらの従来のＩＯＬは、一般的にレンズ光学部の前，後面の曲率半径が一律の球面状のレンズ光学部を有するＩＯＬで、網膜上の焦点が一点に収束されない収差を有するものであった。このため、術後の使用者はコントラスト感度が低下し、夜間には像がぼやけて見えるという問題があった。
【０００４】
また、他の課題としては、眼内挿入用レンズ挿入器具に使用した場合に、前記ＩＯＬを折りたたんで眼内へ挿入する際、折りたたまれる内側になるレンズ光学部の表面に、かなり大きな応力がかかり、この応力がＩＯＬを挿入器具の挿入筒先端より射出する際のスピードを増加させてしまうことがあった。このようにＩＯＬの射出スピードが速いと、前記ＩＯＬを眼内の所定の箇所に位置決めが困難となり、術後の合併症発生率が増大する問題があった。
【０００５】
本発明は、これらの問題を解決すべくなされたもので、網膜上の焦点が一点に収束できるようにした収差の少ない眼内挿入用レンズを提供することを第一の課題とし、前記挿入器具から眼内挿入用レンズを射出する際の射出スピードを抑えるようにしたことを第二の課題とする。
【課題を解決するための手段】
【０００６】
上記課題を解決するため、本発明に係る請求項１の眼内挿入用レンズは、眼内挿入用レンズのレンズ光学部の前，後面の少なくとも一方が光軸近傍領域面では一律の曲率半径を有し、かつレンズ光学部の外周部領域面においては前記光軸近傍領域面の曲率半径よりも大きな曲率半径を持つように形成したことを特徴とする。
【０００７】
また、請求項２の発明は、眼内挿入用レンズを眼内へ挿入した時に前面及び／又は後面となるレンズ光学部が、レンズ光学部の光軸近傍領域面では一律の曲率半径を有し、レンズ光学部の外周部領域面においては前記レンズ光軸近傍領域面の曲率半径よりも大きな曲率半径となるように形成したことを特徴とする。
さらに、請求項３の発明は、請求項１又は請求項2に記載の眼内挿入用レンズにおいて、レンズ光学部の度数とレンズ光学部の口径とを互いに一致させた、前記光軸近傍領域面と外周部領域面との曲率半径が一律の前記レンズ光学部と、前記光軸近傍領域面及び外周部領域面の曲率半径がそれぞれ異なるレンズ光学部とからなり、前記曲率半径がそれぞれ異なるレンズ光学部の球面高さを前記曲率半径が一律のレンズ光学部よりも低くしたことを特徴とする。
【発明の効果】
【０００８】
本発明によれば、眼内挿入用レンズのレンズ光学部の前，後面の少なくとも一方が光軸近傍領域面では一律の曲率半径を有し、かつレンズ光学部の外周部領域面においては前記光軸近傍領域面の曲率半径よりも大きな曲率半径を持つように形成した眼内挿入用レンズ、あるいは、眼内挿入用レンズを眼内へ挿入した時に前面及び／又は後面となるレンズ光学部が、レンズ光学部の光軸近傍領域面では一律の曲率半径を有し、レンズ光学部の外周部領域面においては前記レンズ光軸近傍領域面の曲率半径よりも大きな曲率半径となるように形成した眼内挿入用レンズとすることで、収差が減少し、網膜上の焦点が一点に収束させ易い眼内挿入用レンズとすることができる。
【０００９】
また、前記レンズ光学部を異なる曲率半径を有する形状とすることで、レンズ光学部の体積（厚み）が縮小し、挿入器具を使用して眼内にレンズを挿入する際には、レンズを元の形状より小さく折りたたんだ時でも応力が減少し、レンズを射出する時のスピードを制御することができ、術後の合併症発生率を減少させることができる。
【発明を実施するための最良の形態】
【００１０】
本発明に係る眼内挿入用レンズの最良の形態について、以下にＩＯＬを例に挙げて説明する。ＩＯＬの基本的な形状としては、水平断面が両面凸状の平面略円形のレンズであるか、水平断面が片面のみ凸状形状の平面略円形のレンズが挙げられる。
【００１１】
本発明においては、ＩＯＬの光軸近傍領域面では一律の曲率半径を有し、レンズ光学部の外周部領域面においては、前記一律の曲率半径より大きな曲率半径を有する。この光軸近傍領域面と外周部領域面の異なった曲率半径を有するレンズ光学部は、境目を持たないなだらかな曲面で連続的に形成されている。
【００１２】
ＩＯＬの外形の大きさは、直径が約５〜６mmの円形状で、上記挿入器具によってＩＯＬを挿入器具から押出す場合は、ＩＯＬを折りたたんだり、丸めたりして挿入器具の挿入筒先端から射出する。この時、ＩＯＬは約３mm程度の大きさに縮小されることが必要であり、ＩＯＬの素材は弾性変形可能な素材であることが好ましい。
【００１３】
このような変形可能な材質としては、特に限定されないが、例えば、透明性を有するシリコーンエラストマー、アクリル酸系樹脂、ポリエチレン系樹脂、ポリプロピレン系樹脂、エチレン−酢酸ビニル共重合樹脂等のオレフィン系樹脂、塩化ビニル系樹脂、ポリエステル系樹脂、ポリカーボネート樹脂等の熱可塑性樹脂、或いはオレフィン系熱可塑性エラストマー、スチレン系熱可塑性エラストマー、ウレタン系熱可塑性エラストマー等の熱可塑性エラストマー、或いは天然ゴムの他、エチレン−プロピレンゴム、アクリロニトリル−ブタジエンゴム等の合成ゴム等が挙げられる。
【００１４】
本発明におけるＩＯＬは、前後となる両面若しくはＩＯＬを眼内へ挿入したときに前面及び／又は後面となるレンズ光学部の光軸近傍領域面の曲率半径と外周部領域面との曲率半径を相違させている。レンズ光学部の光軸近傍領域面における一律の曲率半径よりも、外周部領域面の曲率半径を大きくすることにより、収差が少なく網膜上の焦点が一点に収束させ易いことが判明した。
【００１５】
ＩＯＬのジオプトリー（屈折力）は、人により異なるので、レンズ光学部近傍領域面及び外周部領域面の曲率半径はそれぞれ異なる値を有するものとする。通常は、５〜３０Ｄの範囲のジオプトリーを有する。曲率半径もこれに合わせて設定するものである。
【００１６】
また、本発明において、光学部近傍領域面と外周部領域面との連続する境界部分は滑らかとなるように形成されている。これにより光学部の光軸近傍領域面と外周部領域面との間の境界部には不連続性を有する境目がないため、該境界部において光線が異常な方向へ屈折することを防止することができる。
【００１７】
更に、本発明においては、レンズ光学部の度数とレンズ光学部の口径とをそれぞれ互いに一致させた前記光軸近傍領域面と外周部領域面との曲率半径が一律の前記レンズ光学部と、前記光軸近傍領域面及び外周部領域面の曲率半径がそれぞれ異なるレンズ光学部とからなり、前記曲率半径がそれぞれ異なるレンズ光学部の球面高さを前記曲率半径が一律のレンズ光学部よりも低くしたことにより、レンズ光学部の体積を、曲率半径が一律のレンズ光学部よりも減少させることができ、挿入器具等で眼内にＩＯＬを挿入する際に、体積が減少した分、体積が減少された光学部面を内側にして折り曲げたり、湾曲させたりすることが容易となり、光学部にかかる応力が小さくなる。従って、挿入器具などからＩＯＬを射出する際に、低応力となることで射出スピードを減少させることができ、合併症発生率は少なくなり、術者は安心して手術を実施することができる。
【００１８】
本発明に使用する眼内挿入用レンズ挿入器具は、工場生産時等に製品を梱包する前に予めＩＯＬを挿入器具内に設置したプリセットタイプのもの、或いは、挿入器具とＩＯＬとを別構成にし、手術前にＩＯＬを挿入器具にセットするセミプリセットタイプのもの等、何れの挿入器具にも適用可能である。
【実施例１】
【００１９】
次に、図面に基づいて本発明の眼内挿入用レンズに係る実施例について説明する。
図１、図２は本発明に係る眼内挿入用レンズの第１実施例であり、図１はＩＯＬ１０のレンズ光学部１１を上方から見たときの平面図であり、図２は図１の２−２線の沿った側部端面図である。
【００２０】
図１に示すＩＯＬ１０は、シリコーンエラストマーなどの弾性変形可能な素材によって平面円形状をなすように形成されたレンズ光学部１１と、レンズ光学部の対応外周部にそれぞれ基部１２ａが埋め込まれた一対の支持部１２からなっている。
【００２１】
そして、前記レンズ光学部１１の断面形状は、図２に良く見られるように、レンズの光学部１１の前面側（図面左側）となる光軸Ａの近傍領域面１３は、一律の曲率半径を有する球面形状に形成されると共に、レンズ光学部１１の外周部領域面１４は、前記光軸近傍領域面１３の一律の曲率半径よりも曲率半径が大きく形成されたもので、前記光軸近傍領域面１３と外周部領域面１４との境界部Ｂはなだらかな曲線で続く連続した形状となっている。
【００２２】
また、レンズの光学部１１の後面側（図面右側）は、前記光軸近傍領域面１１３及び外周部領域面１４は共に同一の曲率半径の断面円弧状の形状を有するものであり、前記レンズ光学部１１のほぼ中央部Ｃで前記前面側と後面側とが連続一体成形されるものであり、レンズ光学部１１の度数とレンズ光学部１１の口径Ｓとが互いに一致させた形状となっている。
【００２３】
さらに、前記レンズの光学部１１の厚さ方向の断面形状は、前記光軸近傍領域面１３と外周部領域面１４との曲率半径が一律の後面となる前記レンズ光学部部分に対し、前記光軸近傍領域面１３及び外周部領域面１４の曲率半径がそれぞれ異なる前面側となるレンズ光学部部分の球面高さＨ１が、前記後面側となるレンズ光学部部分の球面高さＨ２より低く（肉薄）に形成されたものである。
【００２４】
前記第１実施例によれば、眼内挿入用レンズのレンズ光学部１１の前面一方の光軸近傍領域面では一律の曲率半径を有し、かつレンズ光学部１１の外周部領域面１４においては前記光軸近傍領域面１３の曲率半径よりも大きな曲率半径を持つように形成し、レンズ光学部１１の後面側のレンズ光学部１１の光軸近傍領域面および外周部領域面の曲率半径が一律となる球面形状とし、さらに前面側のレンズ光学部部分の球面高さＨ１を低くなるように形成した眼内挿入用レンズとすることで、収差が減少し、網膜上の焦点が一点に収束させ易くかつ挿入器具（図示せず）へのレンズ使用時における折り畳み、或いは丸め縮小が容易となる眼内挿入用レンズとすることができる。
【実施例２】
【００２５】
図３は、本発明における眼内挿入用レンズの第２実施例を示すものである。
この第２実施例によるＩＯＬのレンズ光学部２１は、前面側に前記光軸近傍領域面２３の一律の曲率半径よりも大きな曲率半径を有する外周部領域面２４を持つように形成し、後面側は平坦面形状２５としたものである。
【００２６】
前記第実施例にあっても、第１実施例と同様な作用効果を有するものであり、レンズの折り畳み、あるいは丸めるなどの形状縮小にはより優れた機能を持つものである。
【実施例３】
【００２７】
図４は、本発明における眼内挿入用レンズの第３実施例を示すものである。
この第３実施例によるＩＯＬのレンズ光学部３１は、後面側に前記光軸近傍領域面３３の一律の曲率半径よりも大きな曲率半径を有する外周部領域面３４を持つように形成し、前面側は平坦面形状３５としたものである。
【００２８】
前記第３実施例にあっても、第１実施例と同様な作用効果を有するものであり、レンズの折り畳み、あるいは丸めるなどの形状縮小には、より優れた機能を持つものである。
【実施例４】
【００２９】
図５は、本発明における眼内挿入用レンズの第４実施例を示すものである。
この第４実施例によるＩＯＬのレンズ光学部４１は、前面側と後面側に夫々前記光軸近傍領域面４３の一律の曲率半径よりも大きな曲率半径を有する外周部領域面４４を持つように形成したものである。
【００３０】
前記第４実施例にあっても、第１実施例と同様な作用効果を有するものであり、レンズの折り畳み、あるいは丸めるなどの形状縮小にはより優れた機能を持つものであり、収差が減少し、網膜上の焦点が一点に収束させ易く、かつ挿入器具（図示せず）へのレンズ使用時における折り畳み、或いは丸め縮小が容易となる眼内挿入用レンズとすることができる。
【産業上の利用可能性】
【００３１】
以上、ＩＯＬを例に挙げ説明したが、本発明において眼内挿入用レンズは、視力矯正レンズ、緑内障用レンズなど眼内に挿入するレンズ全てに適応でき、それぞれの用途によって、曲率を合わせて設計することができる。
【図面の簡単な説明】
【００３２】
【図１】本発明の眼内挿入用レンズの第１実施例を示す平面図。
【図２】図１の２−２線に沿った側部を断面して示す端面図。
【図３】本発明の眼内挿入用レンズの第２実施例を示す側部を断面して示す端面図。
【図４】本発明の眼内挿入用レンズの第３実施例を示す側部を断面して示す端面図。
【図５】本発明の眼内挿入用レンズの第４実施例を示す側部を断面して示す端面図。
【符号の説明】
【００３３】
１０    ＩＯＬ（眼内挿入用レンズ）
１１，２１，３１，４１    レンズ光学部
１２    支持部
１３，２３，３３，４３    光軸近傍領域面
１４，２４，３４，４４    外周部領域面
Ａ      光軸
Ｂ      境界部
Ｃ      中心部
Ｈ１，Ｈ２      球面高さ
Ｓ      レンズ光学部の口径
【図１】
2006014818.tif 000003
【図２】
2006014818.tif 000004
【図３】
2006014818.tif 000005
【図４】
2006014818.tif 000006
【図５】
2006014818.tif 000007